(57)【特許請求の範囲】
【請求項１】
横置きされてなる１本の柱状チューブ体からなるエアー充填部材であって、
前記エアー充填部材の上部に断面略Ｌ字形の凹部が設けられ、該凹部に、背当て面および着座面を有する硬質着座部材が該エアー充填部材と略同じ長さで取り付けられ、
該エアー充填部材内面には、前記凹部と底部との間に吊布が設けられてなることを特徴とする簡易エアーベンチ。
【請求項２】
前記硬質着座部材がエアー充填部材に対し着脱自在に構成されてなることを特徴とする請求項１に記載の簡易エアーベンチ。
【請求項３】
前記硬質着座部材の前記着座面および前記背当て面が互いに回動自在に連結されてなることを特徴とする請求項１または２に記載の簡易エアーベンチ。
【発明の詳細な説明】
【０００１】
【産業上の利用分野】
本発明は、柱状チューブ体からなるエアー充填部材を用いた簡易エアーベンチに関し、特に着座安定性、可搬性、収納性に優れた簡易エアーベンチに関する。
【０００２】
【従来の技術および発明が解決しようとする課題】
近年、キャンプや海水浴などの屋外レジャーやスポーツ観戦用に、可搬性に優れた携帯型のベンチ（本明細書においては、「ベンチ」と言う）の需要が高まっている。このような携帯型のベンチには、スチールに布を張り渡した折畳み型のものや、木製折畳み型のものの他、最近では空気を充填したチューブ体からなる簡易エアーベンチも市場に出てきている。
【０００３】
簡易エアーベンチは、内部空気を抜くことによってコンパクトに折り畳むことができ携帯性に優れると共に、空気を注入することによってどこでも簡単に展開・設置できることから、従来の木製や樹脂製のベンチに替わるものとして利用されはじめている。
【０００４】
しかし、従来の簡易エアーベンチは、単にチューブ体等の充填部材にエアーを充填したに過ぎず、本来のベンチの機能を発揮することは到底できない。たとえば単なる柱状のチューブ体からなる簡易エアーベンチは、人が着座した際に、体重によってエアーベンチ全体が変形し易くかつ安定性が悪く、しかも、着座状態で体を動かしたり、僅かに体重移動したりするだけで、ベンチ全体が容易に他の形状に変形してしまい、座り心地が悪くなったり、場合によっては着座バランスを崩したりすることがある。
【０００５】
また、複数の人が着座できるものにあっては、一人が立ったり、座ったりすることによって、エアーベンチのバランスが崩れるため、実用性に欠けるといった問題もあった。
【０００６】
本発明は上記のような従来の問題点を解決し、携帯や収納が容易であるという簡易エアーベンチの特徴を損なうことがなく、かつ安定性にも優れた簡易エアーベンチを提供することを目的とする。
【０００７】
【課題を解決するための手段】
本発明の簡易エアーベンチは、上記目的を達成するために提案されたものであり、横置きされてなる１本の柱状チューブ体からなるエアー充填部材であって、
前記エアー充填部材の上部に断面略Ｌ字形の凹部が設けられ、該凹部に、背当て面および着座面を有する硬質着座部材が該エアー充填部材と略同じ長さで取り付けられ、
該エアー充填部材内面には、前記凹部と底部との間に吊布が設けられてなることを特徴とする。
本発明の簡易エアーベンチでは、前記硬質着座部材をエアー充填部材に対し着脱自在に構成することができる。また、前記硬質着座部材の前記着座面および前記背当て面を、互いに回動自在に連結されるようにもできる。
【０００８】
ここで、硬質着座部材として、木材，ＦＲＰなどの強化繊維プラスチック，硬質ゴム，金属等の材料が使用される。また、エアー充填部材として、合成樹脂シート，エアーボート等に使用される引布等の材料が使用される。
【０００９】
前記硬質着座部材は、平板材であってもよい。この場合には、該平板材は前記柱状チューブ体の軸に平行に配置される。また、前記硬質着座部材は、三次元構造を持つもの（背当て面および着座面を有しているもの）であってもよい。この場合には、少なくとも該硬質着座部材の縁の一部をエアー充填部材に取り付けることが好ましい。これにより、エアーチューブ体にエアーを充填した際に、該硬質着座部材により該硬質着座部材部分のチューブ体の膨出が阻止され、着座部分が抉れたエアーベンチが形成される。
【００１０】
前記硬質着座部材は、接着剤や接着テープ等を用いて柱状チューブ体に接合することもできるし、適宜のファスナーにより前記チューブ体に着脱自在に取り付けることもできる。着脱自在とする場合には、不使用時にチューブ体と硬質平板とを分離できるので収縮時の携帯性に一層優れたものとなる。ファスナーによる着脱構造としては、ベルトやフックによる固定、係止金具による固定、ガイドレールへのスライド固定など、種々の手段が採用できる。
【００１１】
本発明の簡易エアーベンチでは、着座した際に、人の体重は硬質平板全体に分散して柱状チューブ体に上方から該チューブ体全体に均等に伝わる。これによりチューブ体は安定的に変形する。また、体重移動が生じてもチューブ体に対する体重の加わり方は基本的に変化しないので安定した状態が維持される。
【００１２】
さらに本発明は、前記硬質着座部材の前記着座面および前記背当て面が互いに回動自在に連結することができる。たとえば、前記着座面および背当て面をそれぞれ硬質平板とし、該両硬質平板を互いに回動自在になるようその当接縁で連結して構成することで、不使用時に両硬質平板を回動して折り畳むこともできる。
【００１３】
【実施例】
以下、本発明の実施例を図面に基づいて詳細に説明する。
チューブ体に凹部を設けた簡易エアーベンチの第１〜第５の実施例を図１〜図５に示す。図１（Ａ）および（Ｂ）は、本発明の第１の実施例を示したものであり、断面略Ｌ字形の凹部１１をチューブ体１０の上部に有するものである。なお、チューブ体として、ゴム引布、ＰＶＣターポリン、ポリウレタン引布等の柔軟な気密布を使用できる。
【００１４】
この凹部１１によって形成される着座面および背当て面には、それぞれ硬質部材（ここでは、合板１２）が貼着され、側面にも扇形の硬質部材（ここでは、ゴム板１３）が貼着されて座席が形成されている。これら合板１２およびゴム板１３により硬質着座部材が構成されている。図示するように、この凹部１１は円柱状のチューブ体１０の一部を方形状に開口し、この開口部を塞ぐように引布１１ａが貼着して設けられている。引布１１ａは、チューブ体１０の内部で引布よりなる吊布１４によって、その略中央部分を内側に吊り込むことで、Ｌ字形に保持されている。すなわち、引布１１ａはこの吊布１４によって、チューブ体１０に充填された空気の内圧に抗してＬ字形を維持している。
【００１５】
図２（Ａ）および（Ｂ）は、本発明の第２の実施例を示したものである。本実施例では、前記合板１２およびゴム板１３に代えて、型成形された断面Ｌ字形の座席体１５が用いられている。座席体１５は、本実施例ではＦＲＰで作成している。チューブ体１０の内部には、吊布１４が設けられており、その一端は座席体１５に、他端はチューブ体１０の底面に固着されている。これによって、チューブ体１０の底面中央部分が内側に僅かに持ち上げられて、チューブ体１０の接地状態が安定する。
【００１６】
図３（Ａ）および（Ｂ）は、本発明の第３の実施例を示したものであり、チューブ体１０の上部に２つの座席、すなわちＬ字形凹部１６を備えたものである。なお、図示はしないが、凹部１６に、前記実施例同様、前記合板やゴム板等からなる硬質着座部材やＦＲＰ等からなる着座部材が取り付けられる。
【００１７】
本実施例では、図３（Ｂ）に示すように、吊布１７はチューブ体１０の上部および底部間に渡されている。これにより接地状態が安定する。もっとも図３（Ｃ）に示すように、複数の吊布（図３（Ｃ）では２つの吊布１７，１７）を凹部１６，１６とチューブ体１０の底部間に渡すようにすることもできる。
【００１８】
図４（Ａ）および（Ｂ）には本発明の第４の実施例が示されており、本実施例ではチューブ体１０の長手方向全域に亙って断面略Ｌ字形の凹部１８を形成してあり、この凹部１８には、Ｌ字形の座席板１９が着脱自在に取り付けられる。座席板１９は、硬質の木材、ＦＲＰなどの成型体からなり、その着座面および背当て面の裏側には、図４（Ｂ）に示したように長手方向に沿って溝１９ａおよび１９ｂが設けられている。
【００１９】
一方、チューブ体１０の着座面および背当て面には、前記溝１９ａおよび１９ｂにそれぞれ対応して先端にリブ２１を持つ係止片２０ａ，２０ｂがそれぞれ設けられている。図４（Ａ）に示すように、座席板１９をチューブ体１０の側方からスライドさせて、溝１９ａ、１９ｂと係止片２０ａおよび２０ｂの先端リブ２１とを係合させ、座席板１９をチューブ体１０に取り付けている。
【００２０】
図５は、本発明の第５の実施例を示したものであり、座席板を折畳みできるように構成したものである。すなわち座席板は、着座板２２ａおよび背当て板２２ｂの分割された二枚の硬質板（ここでは合板）からなり、その当接部分で互いに回動できるようにヒンジ２３にて連結したものである。座席使用時には、図示するように両板を開いて両側のストッパ２４で固定すればよく、収納時には、チューブ体１０のエアーを抜き、ストッパ２４を外して、矢印方向に背当て板２２ｂを閉じれば、コンパクトに折り畳むことができ、携帯、収納の利便を図ることができる。
【００２１】
以上、本発明を実施例に則して詳細に説明したが、本発明は上記実施例に限定されず種々の変形・改良が可能である。
【００２２】
【発明の効果】
以上、述べたように本発明によれば、不使用時にコンパクトに折り畳むことができるという簡易エアーベンチの利点を損なうことなく、着座時の安定性を高めることができる。特に、ベンチに必要な剛性が硬質着座部材により、また同じくクッション作用が充填エアーにより保証されるので、従来の木製や樹脂製のベンチ、あるいは従来の簡易エアーベンチにはなかった使用の快適さを得ることができる。
【図面の簡単な説明】
【図１】  チューブ体に凹部を形成した本発明の第１の実施例を示す図であり、（Ａ）は斜視図、（Ｂ）は縦断面図である。
【図２】  チューブ体に座席体を取付けた本発明の第２の実施例を示す図であり、（Ａ）は斜視図、（Ｂ）は縦断面図である。
【図３】  チューブ体に２つの凹部を形成した本発明の第３の実施例を示す図であり、（Ａ）は斜視図、（Ｂ）は縦断面図、（Ｃ）は他の態様を示す縦断面図である。
【図４】  Ｌ字形の座席板を着脱自在に取付けた本発明の第４の実施例を示す図であり、（Ａ）は斜視図、（Ｂ）は係止部の一部破断断面図である。
【図５】  座席板を折畳み自在に構成した本発明の第５の実施例に係る簡易エアーベンチの斜視図である。
【符号の説明】
１１  凹部
１０  チューブ体
１２  合板
１３  ゴム板
１１ａ  引布
１４  吊布
１５  座席体
１６  凹部
１７  吊布
１９  座席板
１９ａ，１９ｂ  溝
２１  リブ
２０ａ，２０ｂ  係止片
２２ａ  着座板
２２ｂ  背当て板
２３  ヒンジ
２４  ストッパ
【図１】
0003676834.tif 000002
【図２】
0003676834.tif 000003
【図３】
0003676834.tif 000004
【図４】
0003676834.tif 000005
【図５】
0003676834.tif 000006